(57)【特許請求の範囲】
【請求項１】
励起光の照射により被写体の観察部位から発せられる蛍光の観察像と、照明光による被写体像とを共に撮影する、開口絞りを備えた撮像装置であって、
該開口絞りが、
一部又は全部にフィルタ部が形成された絞り羽根部材を複数備え、複数の絞り羽根部材のフィルタ部から形成されたフィルタ領域と該フィルタ領域の内側に位置する開口領域とを有し、
フィルタ領域が、被写体の観察部位からの蛍光に対応する波長域の光を透過させ、被写体への照明光に対応する波長域の光の透過を低減又は遮断し、
開口領域が、被写体の観察部位からの蛍光に対応する波長域の光と、被写体への照明光に対応する波長域の光を透過させ、
開口絞りの取付位置での光路の最大域において、被写体の観察部位からの蛍光に対応する波長域の光が絞られず、開口領域の面積が可変である撮像装置。
【請求項２】
被写体の観察部位からの蛍光が赤外光であり、照明光が可視光である請求項１記載の撮像装置。。
【請求項３】
励起光カットフィルタを備える請求項１又は２に記載の撮像装置。
【請求項４】
励起光カットフィルタが、開口絞りのフィルタ領域に形成された励起光カットフィルタ層からなる請求項３記載の撮像装置。
【請求項５】
さらに、被写体の観察部位からの蛍光に対応する波長域の光を透過させ、被写体への照明光に対応する波長域の光の透過を低減又は遮断するＮＤフィルタを備えた請求項１〜４のいずれかに記載の撮像装置。
【発明の詳細な説明】
【技術分野】
【０００１】
本発明は、被写体を照明する照明光に比べて被写体の観察部位からの蛍光の光量が微弱な場合に、微弱な蛍光による観察像と強力な照明光による被写体像とを、同時に鮮明に撮像するために用いる開口絞りに関する。
【背景技術】
【０００２】
医療分野において光線力学的診断法(ＰＤＤ)や光線力学的治療法(ＰＤＴ)が利用されている。ＰＤＤは、励起光の照射により蛍光を発生する光感受性物質が腫瘍組織に特異的に蓄積される性質を利用して、予め生体内に光感受性物質を投与し、それが発する蛍光により腫瘍組織を観察する診断法であり、ＰＤＴは、光感受性物質の励起により生じる一重項酸素を利用して腫瘍組織を破壊する治療法である。
【０００３】
ＰＤＤやＰＤＴでは、手術室の無影灯等の強力な照明光下において、腫瘍組織内の光感受性物質から発せられる蛍光を高精度に撮影し、観察可能とすることが求められるが、光感受性物質から発せられる蛍光は照明光に比して極めて微弱であるため、蛍光像が照明光による被写体像に埋もれてしまうという問題がある。
【０００４】
一方、近年、生体内に光造影剤としてＩＣＧ（インドシアニングリーン）を投与し、励起光の照射等によりＩＣＧを励起させ、ＩＣＧが発する近赤外の蛍光像を被写体像と共に撮像し、観察することにより診断を行う方法が注目されている。ヘモグロビンは６００ｎｍより短波長に吸収があり、水は９００ｎｍより長波長に吸収があり、他方、ＩＣＧの励起波長やＩＣＧが発する蛍光の波長は、それぞれ、ヘモグロビンや水の吸収のない６００〜９００ｎｍの波長帯域にあるため、ＩＣＧを使用することにより、生体内部の観察も可能になる。しかしながら、この方法においても蛍光像が被写体像に埋もれてしまうというという問題がある。
【０００５】
このような問題を解決するために、赤外領域の蛍光を含む被写体像をＲＧＢ成分に分解し、再度それらを重畳してカラー画像を形成するにあたり、Ｒ成分が多くなるように分解し、微弱な蛍光による観察部位を強調することが提案されている（特許文献１）。しかしながら、この方法では、赤外領域にある蛍光だけでなく、被写体像を形成するＲ成分の光も同時に強調されるため、被写体像の中で蛍光を発する部位を精確に観察することが困難となる。さらに、被写体像をＲＧＢ成分に分解するためのフィルタやその駆動機構が必要となり、装置構成が複雑になることも問題となる。
【０００６】
また、励起光と照明光を含む照明装置を用いて被写体を照明し、被写体中の観察部位が発する微弱な蛍光による観察像と被写体の反射光による被写体像とを同時に観察するにあたり、励起光成分と照明光成分の強度を調整し、観察像と被写体像の輝度値やコントラストを制御することが提案されている（特許文献２）。しかしながら、このような照明装置を内視鏡観察ではなく、手術室等において強力な照明光に暴露された組織の観察に使用する場合、照明光成分を大きく低減させることが必要になるため、手術室内を暗くしなければならないという問題が生じる。
【０００７】
さらに、赤外光帯域の蛍光による観察像と可視光帯域の被写体像とを同時に撮影する撮像装置において、励起光をカットすると共に、赤外光と可視光とを透過させる光学フィルタを使用すること、その場合に、赤外光と可視光とで光の透過率を異ならせ、赤外光像と可視光像とのバランスをとることが提案されている（特許文献３）。しかしながら、被写体像を形成する可視光帯域の照明光に対して観察像を形成する赤外光帯域の蛍光が極めて微弱であるため、赤外光帯域の透過率と、可視光帯域の透過率とをバランスよく調整した光学フィルタを得ることは難しい。さらに、観察像を形成する赤外光帯域の蛍光と被写体像を形成する可視光帯域の光とでは焦点面が異なるため、観察像と被写体像とを同時に鮮明に撮像することができない。
【０００８】
これに対し、蛍光内視鏡装置において、同心円状に３つに分かれたフィルタ絞りであって、最も内側は円形状の可視光透過部とし、その外側は可視光非透過部とし、最も外側を遮光部としたものを使用し、これにより可視光画像に対して蛍光画像を明るくし、可視光画像を深い被写体深度で観察できるようにすることが提案されている（特許文献４）。しかしながら、このフィルタ絞りを、手術室等で照明光に暴露された組織の観察に使用する場合、照明光の強さは具体的観察状況ごとに大きく変わるため、可視光画像に対する蛍光画像の明るさを適切に調整することができない。
【先行技術文献】
【特許文献】
【０００９】
【特許文献１】特開２００１−７８２０５号公報
【特許文献２】特開２００８−２５９５９１号公報
【特許文献３】特開２００８−１８８１９６号公報
【特許文献４】特開平１０−１５１１０４号公報
【発明の概要】
【発明が解決しようとする課題】
【００１０】
上述のように、照明光による被写体像と、その被写体の観察部位からの微弱な蛍光による観察像とを鮮明に観察することが課題となっている。したがって、本発明は、被写体像を形成する照明光に比べて被写体の観察部位からの蛍光が微弱であり、かつ照明光の強度が観察状況に応じて変動する場合に、簡便な方法で、照明光による被写体像と、被写体の観察部位からの蛍光による観察像との双方を鮮明に得られるようにすることを目的とする。
【課題を解決するための手段】
【００１１】
本発明者らは、照明光に対応する波長域の光に対しては開度が可変の開口絞りとして機能するが、被写体の観察部位からの蛍光に対応する波長域の光は絞ることなく透過させる開口絞りを用いることにより、上述の課題を解決できることを見出した。
【００１２】
すなわち、本発明は、一部又は全部にフィルタ部が形成された絞り羽根部材を複数備え、複数の絞り羽根部材のフィルタ部から形成されたフィルタ領域と該フィルタ領域の内側に位置する開口領域とを有する開口絞りであって、
フィルタ領域が、被写体の観察部位からの蛍光に対応する波長域の光を透過させ、被写体への照明光に対応する波長域の光の透過を低減又は遮断し、
開口領域が、被写体の観察部位からの蛍光に対応する波長域の光と、被写体への照明光に対応する波長域の光を透過させ、
被写体の観察部位からの蛍光に対応する波長域の光が絞られず、開口領域の面積が可変である開口絞りを提供する。
【００１３】
また、本発明は、被写体の観察部位からの蛍光による観察像と、照明光による被写体像とを共に撮影する撮像装置であって、上述の開口絞りを備えた撮像装置を提供する。
【００１４】
さらに、本発明は、被写体の観察部位からの蛍光による観察像と、照明光による被写体像とを同時に観察する撮像装置であって、上述の開口絞りを備えた観察装置を提供する。
【発明の効果】
【００１５】
本発明の開口絞りによれば、被写体の観察部位からの蛍光に対応する波長域の光を透過させ、かつ被写体への照明光に対応する波長域の光を低減又は遮断するフィルタ領域の内側に開口領域が形成されているので、被写体の観察部位からの蛍光は絞られることなく、被写体像を形成する照明光の波長域の光のみが絞られる。このため、被写体の観察部位からの微弱な蛍光に比して、被写体像を形成する照明光の波長域の光の光量が圧倒的に多い場合でも、照明光による被写体像中に微弱な蛍光による観察像が埋もれることなく、微弱な蛍光による観察像を鮮明に観察することが可能となる。
【００１６】
また、本発明の開口絞りによれば、照明光による被写体像を形成する光は開口領域で絞られる。従って、本発明の開口絞りを備えた撮像装置によれば、照明光に対応する波長域の光については焦点深度が深くなる。このため、本発明の開口絞りを備えた撮像装置において、焦点を、蛍光による観察像に合わせると、被写体像を形成する光と、観察像を形成する蛍光とでは波長が異なるために双方の焦点面がずれるにもかかわらず、被写体像も明瞭に得ることができる。
【００１７】
さらに、本発明の開口絞りによれば、開口領域の面積が可変であるため、被写体像を形成する光と観察像を形成する蛍光について、それらの光量のバランス調整や焦点深度の調整をより適切に行うことができる。
【００１８】
加えて、本発明の開口絞りは、上述の効果を簡便な構成で得ることができる。したがって、本発明の開口絞りを備えた本発明の撮像装置によれば、照明光による被写体像と被写体の観察部位からの蛍光による観察像の双方を鮮明に、かつ、低コストに得ることができる。
【図面の簡単な説明】
【００１９】
【図１】図１は、本発明の実施例の２枚羽根型開口絞り１０Ａの作用を説明する平面図及び断面図である。
【図２】図２は、本発明の実施例の２枚羽根型開口絞り１０Ａを構成する絞り羽根部材２０Ａの平面図である。
【図３】図３は、本発明の実施例の２枚羽根型開口絞り１０Ｂの平面図及び断面図である。
【図４】図４は、本発明の実施例の２枚羽根型開口絞りを構成する絞り羽根部材２０Ｃの平面図である。
【図５】図５は、本発明の実施例の２枚羽根型開口絞りを構成する絞り羽根部材２０Ｄの平面図である。
【図６】図６は、本発明の実施例の２枚羽根型開口絞り１０Ｅの平面図及び断面図である。
【図７】図７は、本発明の実施例の２枚羽根型開口絞り１０Ｆの平面図及び断面図である。
【図８】図８は、本発明の実施例の撮像装置１００Ａの概略構成図である。
【図９】図９は、本発明の実施例の撮像装置１００Ｂの概略構成図である。
【図１０】図１０は、本発明の実施例の内視鏡撮像装置１００Ｃの概略構成図である。
【図１１】図１１は、本発明の実施例の内視鏡観察装置１００Ｄの概略構成図である。
【発明を実施するための形態】
【００２０】
以下、図面を参照して本発明を詳細に説明する。なお、各図中、同一符号は、同一又は同等の構成要素を表している。
【００２１】
図１は、本発明の開口絞りの一実施例である２枚羽根型開口絞り１０Ａの説明図であり、図２は、この２枚羽根型開口絞り１０Ａを構成する一対の絞り羽根部材２０Ａの平面図である。
【００２２】
絞り羽根部材２０Ａは、矩形の平板状基材２３の表面の左右片側にフィルタ層２１ａが形成されたフィルタ部２１とフィルタ層２１ａの非形成領域である非フィルタ部２２を有し、外枠２４に嵌められている。ここで、フィルタ層２１ａは非フィルタ部２２側がＶ字型に凹んだ形状をしている。このフィルタ層２１ａは、被写体の観察部位からの蛍光の波長域の光を実質的に減衰することなく透過し、かつ被写体への照明光の波長域の光を低減又は遮断する光の透過特性を有する。
【００２３】
図１に示した２枚羽根型開口絞り１０Ａは、一対の絞り羽根部材２０Ａを、双方の非フィルタ部２２が重なり合うように組み合わせ、レール２５上に移動可能に取り付けたものである。この２枚羽根型開口絞り１０Ａによれば、一対の絞り羽根部材２０Ａの非フィルタ部２２の重なり合った領域が、２枚羽根型開口絞り１０Ａの開口領域２となり、被写体の観察部位からの蛍光の波長域の光と被写体への照明光の波長域の光を透過させる。また、この開口領域２を囲む一対のフィルタ部２１が、２枚羽根型開口絞り１０Ａのフィルタ領域１となり、被写体の観察部位からの蛍光の波長域の光を透過させ、かつ被写体への照明光の波長域の光を低減又は遮断する。
【００２４】
したがって、この２枚羽根型開口絞り１０Ａによれば、開口領域２の面積が可変となり、例えば、図１（ａ）に示すように、開口領域２を最大にした状態と、同図（ｂ）に示すように開口領域２を絞った状態と、同図（ｃ）に示すように開口領域２をさらに絞った状態に、開口領域２の面積を連続的に変化させることができる。よって、被写体像を形成する光と観察像を形成する蛍光の光量のバランス調整や焦点深度の調整を適切に行うことができる。
【００２５】
また、図１において、開口領域２の周りの破線円形Ｘは、この２枚羽根型開口絞り１０Ａを撮像装置などの光学系に取り付けた場合の取付位置での光路の最大域を示している。同図に示すように、２枚羽根型開口絞り１０Ａにおけるフィルタ領域１は、開口領域２の絞りの大小にかかわらず、常に破線円形Ｘで示される最大域よりも大きく、被写体の観察部位からの蛍光の有効径は絞られない。したがって、この２枚羽根型開口絞り１０Ａにおいては、常に被写体の観察部位からの蛍光を最大限利用することが可能となる。
【００２６】
ここで、蛍光の波長域と照明光の波長域は、観察対象とする被写体、光感受性物質、光造影剤等の種類や観察目的等に応じて適宜定めることができる。例えば、生体内にＩＣＧを蓄積させ、その蓄積部位を観察部位とし、ＩＣＧに励起光を照射することにより蛍光を発光させ、その蛍光を観察する場合、ＩＣＧの励起波長のピークは８０５ｎｍであり、ＩＣＧの蛍光波長のピークは８４５ｎｍであるから、７５０〜８１０ｎｍを励起波長域とし、この励起波長域を含む白色光を照明光の波長域とすることが好ましく、したがって、フィルタ領域１では、蛍光の波長域を含む８１０〜１０００ｎｍの光は透過するが、それよりも短波長側の４００〜８１０ｎｍの光は低減又は遮断されるようにすることが好ましい。
【００２７】
なお、このように２枚羽根型開口絞り１０Ａの光の透過特性を設定すると、開口領域２を励起光の波長域の光が通過するので、この２枚羽根型開口絞り１０Ａの使用時には、７５０〜８１０ｎｍの光を遮断する励起光カットフィルタを併用することが好ましい。あるいは、図３に示した２枚羽根型開口絞り１０Ｂ絞りの絞り羽根部材２０Ｂのように、平板状基材２３の片面に上述のフィルタ層２１ａを形成すると共に、平板状基材２３の他面全面に７５０〜８１０ｎｍの光を遮断する励起光カットフィルタ層５を形成してもよい。
【００２８】
一方、ＰＤＤ法において光感受性物質としてヘマトポルフィリン誘導体（ＨｐＤ）を使用する場合、ＨｐＤを蓄積した腫瘍細胞はピーク波長６３０ｎｍと６９０ｎｍの蛍光を発するため、蛍光の波長域としては、６１０〜７２０ｎｍを設定する。また、ＨｐＤの励起波長は４０５ｎｍがピーク波長であるから、３８５〜４２５ｎｍを励起波長域とし、この励起波長域を含む白色光を照明光波長域とすることが好ましい。したがって、フィルタ領域１としては、蛍光の波長域である６１０〜７２０ｎｍの光を透過するが、この蛍光の波長域よりも短波長側の可視光や長波長側の赤外光は遮断又は低減するものが好ましく、この蛍光の波長域よりも短波長側及び長波長側の光を遮断するものがより好ましい。
【００２９】
なお、２枚羽根型開口絞り１０Ａにおいて、フィルタ部２１は、平板状基材２３への薄膜の蒸着等により形成される。平板状基材２３は、透明なガラス板、プラスチック樹脂板等から形成される。
【００３０】
また、２枚羽根型開口絞り１０Ａにおいて、一対の絞り羽根部材２０Ａを双方の非フィルタ部２２が重なり合うように組み合わせるにあたり、一対の絞り羽根部材２０Ａは、これらの対向面が互いに接触しない限りで、できるだけ近接して配置することが望ましい。
【００３１】
絞り羽根部材１０Ａの駆動機構としては、開口領域２の中心ｐを中心にして左右対称に一対の絞り羽根部材２０Ａが動くように、一対の絞り羽根部材２０Ａを公知の接続具で接続することが好ましい。また、絞り羽根部材２０Ａの駆動源としては、手動でもよく、ステッピングモーター等を使用してもよい。
【００３２】
本発明の開口絞りは、さらに種々の態様をとることができる。例えば、図２に示した絞り羽根部材２０Ａおいて、フィルタ部２１のＶ字型の開きの角度θやＶ字型の深さｄは、一対の非フィルタ部２２の重ね合わせにより開口領域２が形成される限り特に制限はない。
【００３３】
図２に示した絞り羽根部材２０Ａでは、フィルタ部２１は、その非フィルタ部２２側がＶ字型に凹んでいるが、一対の非フィルタ部２２の重ね合わせにより開口領域２を形成できる限り凹み形状自体には特に制限なく、図４に示す絞り羽根部材２０ＣのようにＶ字型の凹みの先端部を半円形に凹ませることにより、開口領域２の面積を最も狭めた状態で、開口領域２が円形になるようにしてもよい。また、図５に示す絞り羽根部材２０Ｄのように、フィルタ部２１の非フィルタ部２２側を半楕円状等に凹ませても良い。
【００３４】
図６に示す２枚羽根型開口絞り１０Ｅのように、絞り羽根部材２０Ｅを形成する平板状基材２３の平面形状自体を、フィルタ部２１と同様に凹みを有する形状とし、この平板状基材２３の全部をフィルタ部２１としてもよく、あるいは、図７に示す２枚羽根型開口絞り１０Ｆの絞り羽部材２０Ｆのように、色材が均一に分散していることにより平板状基材２３自体がフィルタ層２１ａと同様の光透過特性を有する物を使用し、それを凹みを有する形状に切り欠くことにより開口領域２を形成してもよい。ただし、図１に示したように、平板状基材２３の一部をフィルタ部２１とし、その片側に平板状基材２３の非フィルタ部２２を隣接させることにより、破線で示した光路の最大域内では、フィルタ領域１における光軸方向の絞り羽根部材２０Ａの総厚と、開口領域２における光軸方向の絞り羽根部材２０Ａの総厚とを同一とし、フィルタ領域１を透過する蛍光と開口領域２を透過する蛍光とに位相差を生じさせないことが好ましい。これにより、観察像をより鮮明に形成することができる。
【００３５】
本発明の開口絞りは、さらに種々の態様をとることができる。例えば、フィルタ部と非フィルタ部を有する絞り羽根部材を３枚以上組み合わせることにより、フィルタ領域と、そのフィルタ領域の内側に位置する開口領域とが形成されるようにしてもよい。この場合にも、開口絞りにおける光路の最大域内において、フィルタ領域における光軸方向の絞り羽根部材の総厚と、開口領域における光軸方向の絞り羽根部材の総厚とを同一とすることが好ましい。
【００３６】
本発明の開口絞りは、照明光による被写体像と、被写体の観察部位からの蛍光による観察像とを同時に撮像する種々の撮像装置に広く使用することができ、それにより、被写体像を形成する光に対して観察像を形成する蛍光が微弱な場合でも、被写体像と観察像の双方を鮮明に得ることを可能とする。
【００３７】
図８は、ＩＣＧを利用した公知のハンディタイプの近赤外蛍光画像撮像装置に本発明の開口絞り１０を組み込んだ撮像装置１００Ａの一例の概略構成図である。この撮像装置１００Ａは、生体を被写体Ｓとして可視光による被写体像を撮ると共に、生体組織に投与したＩＣＧが発する赤外光帯域の蛍光の画像も観察像として同時に撮るもので、カメラユニット１０１、コントローラ１０２、モニタ１０３等を備えている。
【００３８】
カメラユニット１０１は、被写体側前面に、ＩＣＧを励起させるための補助光源として近赤外波長のＬＥＤ励起光源１０４を有し、内部に近赤外光帯域と可視光帯域に感度を有するＣＣＤ１０５と、画像をＣＣＤ１０５に結像させるためのレンズ系１０６が設けられ、レンズ系１０６の前面に励起光カットフィルタ５０が設けられている。また、レンズ系１０６の内部には、本発明の開口絞り１０として、例えば、２枚羽根型開口絞り１０Ａが設置されている。なお、本発明の開口絞り１０としては、前述の種々の態様のものを設置することができ、それ自体に励起光カットフィルタ層５が形成されているものを設置する場合には、励起光カットフィルタ５０は不要である。
【００３９】
コントローラ１０２は、ＣＣＤ１０５で撮像した画像のコントラストの調整やノイズの除去を行う画像処理機能を有している。また、画像データをモニタ１０３に出力してモニタ１０３に被写体像と観察像を同時に出力させたり、必要に応じて接続される外部記録装置、通信装置などにする画像データを出力する機能を有している。
【００４０】
この撮像装置１００Ａの使用方法としては、予め被写体Ｓとなる患者の所定部位にＩＣＧを投与しておき、無影灯等の外部照明装置１１０による照明光Ｌ1下で被写体Ｓを撮像し、照明光Ｌ1による被写体像とＩＣＧの蛍光による観察像とを同時に撮像し、モニタ１０３にそれらの合成画像を出力し、被写体Ｓの診断に供する。
【００４１】
ここで、外部照明装置１１０による照明光としては、好ましくは、蛍光灯、ハロゲンランプ、キセノンランプ、ＬＥＤ等を光源とし、赤外光帯域の光をカットした白色光（特に、観察像を形成する８１０ｎｍ以上の波長域の光をカットした白色光）を使用する。
【００４２】
撮像時には、まず、観察部位からの蛍光強度に基づいて撮像装置１００Ａの感度と焦点を調整する。次いで、開口絞り１０の開口領域２の開度を適宜調整する。
【００４３】
本発明の開口絞りを組み込んだ撮像装置としては、図９に示した撮像装置１００Ｂのように、レンズ系１０６の前面に、被写体の観察部位からの蛍光に対応する波長域の光を透過させ、被写体の照明光に対応する波長域の光の透過を低減又は遮断するＮＤフィルタ４０を設けても良い。本発明の開口絞り１０において開口領域２の面積を過度に小さくすると被写体像が劣化するため、本発明の開口絞り１０だけでは、被写体像を形成する可視光を十分に絞ることができない場合であっても、被写体の観察部位からの蛍光に対応する波長域の光を透過させ、被写体の照明光に対応する波長域の光の透過を低減又は遮断するＮＤフィルタ４０を本発明の開口絞り１０と併用することにより、被写体像を形成する光を十分に低減させ、蛍光による観察像と、被写体像の双方を明瞭に撮影することが可能となる。
【００４４】
また、本発明の開口絞りは、ハンディタイプの撮像装置だけでなく、備え付けの撮像装置にも組み込むことができ、また、内視鏡、腹腔鏡等にも組み込むことができる。例えば、図１０は、本発明の開口絞り１０を組み込んだファイバー式内視鏡撮像装置１００Ｃの概略構成図である。図中、符号１０７は光ファイバーである。体内に挿入される内視鏡の先端部の光学系に本発明の開口絞りを組み込むと、その部分の洗浄、滅菌等が難しくなるが、図１０に示したように、体内への非挿入部に本発明の開口絞り１０を設けることにより、照明光による被写体像と蛍光による観察像との明度調整を容易に行うことができる。なお、この撮像装置１００Ｃには公知の照明光学系（図示せず）を設けることができる。
【００４５】
さらに、本発明の開口絞りは、撮像装置だけでなく、観察装置も組み込むことができる。この場合、蛍光を可視化するため、必要に応じて蛍光変換板を使用する。例えば、図１１は、本発明の開口絞り１０を組み込んだリレーレンズ式内視鏡観察装置１００Ｄの概略構成図である。図中、符号１０８はリレーレンズである。この観察装置１００Ｄにも公知の照明光学系（図示せず）を設けることができる。観察装置においても、前述と同様に必要に応じてＮＤフィルタ、励起光カットフィルタを設けることができる。
【００４６】
本発明は、本発明の開口絞りを組み込んだこれらの装置も包含する。
【産業上の利用可能性】
【００４７】
本発明の開口絞りは、ＩＣＧ等の蛍光試薬を利用した蛍光画像撮像装置、ＰＤＤ、ＰＤＴ等の医療分野の撮像装置で有用である他、食品、各種材料の分析試験において蛍光画像を撮る場合などにおいても有用である。
【符号の説明】
【００４８】
１…フィルタ領域
１ａ…フィルタ層
２…開口領域
３…平板状基材
３ｂ…レンズ
４…外枠
５…励起光カットフィルタ層
１０、１０Ａ、１０Ｂ、１０Ｅ、１０Ｆ…２枚羽根型開口絞り
２０Ａ、２０Ｂ、２０Ｃ、２０Ｄ、２０Ｅ、２０Ｆ…絞り羽根部材
２１…フィルタ部
２１ａ…フィルタ層
２２…非フィルタ部
２３…平板状基材
２４…外枠
２５…レール
４０…ＮＤフィルタ
５０…励起光カットフィルタ
１００Ａ、１００Ｂ…撮像装置
１００Ｃ…ファイバー式内視鏡撮像装置
１００Ｄ…リレーレンズ式内視鏡観察装置
１０１…カメラユニット
１０２…コントローラ
１０３…モニタ
１０４…ＬＥＤ励起光源
１０５…ＣＣＤ
１０６…レンズ系
１１０…外部照明装置
【図１】
0005418707.tif 000002
【図２】
0005418707.tif 000003
【図３】
0005418707.tif 000004
【図４】
0005418707.tif 000005
【図５】
0005418707.tif 000006
【図６】
0005418707.tif 000007
【図７】
0005418707.tif 000008
【図８】
0005418707.tif 000009
【図９】
0005418707.tif 000010
【図１０】
0005418707.tif 000011
【図１１】
0005418707.tif 000012